(57)【要約】【課題】複数の周波数帯域を有する複数の送信信号を、送信機内において合成して複数の最終的な送信信号を生成し、それら最終的な送信信号を同時に送信することによって拡散し、多重化して送信することが、周波数ダイバーシチゲインを向上させて伝送特性を向上させることができる、スペクトラムアグリゲーション用の送信機等を提供する。【解決手段】周波数帯域が互いに離れた複数のキャリアの送信シンボルを、符号化前の送信シンボルとして、その送信シンボルに対してプリコーディングとして回転直交符号化を行い、それにより、符号化後の送信シンボルを生成し、複数のキャリアにそれぞれ対応する複数の、符号化後の送信シンボルをそれぞれ、複数の送信信号として複数の送信アンテナから、それら送信信号をそれぞれ受信する複数の受信アンテナを有する受信機に向かって送信し、それにより、スペクトラムアグリゲーションを行う。【選択図】図２
2012060633.tif 000002
【特許請求の範囲】
【請求項１】
複数の送信シンボルを複数の送信アンテナからそれぞれ送信する送信機であって、
周波数帯域が互いに離れた複数のキャリアの各々の送信ビット系列を符号化する符号化器と、
その符号化された送信ビット系列を変調し、送信シンボルを生成する変調器と、
前記異なるキャリアについての前記送信シンボルに対して回転直交符号化を行い、それにより、符号化後の送信シンボルを生成する回転直交符号化手段と、
各キャリア毎に、前記符号化後の送信シンボルに周波数信号処理を施す周波数信号処理手段と、
前記複数のキャリアの送信信号にそれぞれ対応する複数の、周波数信号処理後の送信シンボルをそれぞれ、前記複数の送信アンテナから、それら送信シンボルをそれぞれ受信する複数の受信アンテナを有する受信機に向かって送信する送信部と
を有することを特徴とするスペクトラムアグリゲーション用の送信機。
【請求項２】
前記複数の送信アンテナは、第１の送信アンテナと、第２の送信アンテナとを含み、
前記キャリア数Ｎは、２であり、
前記回転直交符号化手段は、次の回転直交符号行列Ｃを用いたプリコーディング(pre-coding)により、前記回転直交符号化を行う
【数１】
2012060633.tif 000017
θ：前記回転直交符号化のための回転角
s１：前記第１の送信アンテナから送信されるべき、回転直交符号化前の送信シンボル
s２：前記第２の送信アンテナから送信されるべき、回転直交符号化前の送信シンボル
s'１：前記第１の送信アンテナから送信されるべき、回転直交符号化後の送信シンボル
s'２：前記第２の送信アンテナから送信されるべき、回転直交符号化後の送信シンボル
ことを特徴とする請求項１に記載の送信機。
【請求項３】
前記キャリア数Ｎは、Ｎ＝２n（nは２以上の整数)であり、
前記回転直交符号化手段は、次の回転直交符号行列Ｃ２nを用いたプリコーディング(pre-coding)により、前記回転直交符号化を行う
【数２】
2012060633.tif 000018
θｎ：前記回転直交符号化のための回転角
Ｃ２＝１
ことを特徴とする請求項１に記載の送信機。
【請求項４】
前記キャリア数Ｎは、Ｎ＝３であり、
前記回転直交符号化手段は、次の回転直交符号行列Ｃ３を用いたプリコーディング(pre-coding)により、前記回転直交符号化を行う
【数３】
2012060633.tif 000019
θ１、θ２、θ３：前記回転直交符号化のための回転角
ことを特徴とする請求項１に記載の送信機。
【請求項５】
前記キャリア数Ｎは、Ｎ＝２２＝４(n=2)であり、
前記回転直交符号化手段は、次の回転直交符号行列Ｃ４を用いたプリコーディング(pre-coding)により、前記回転直交符号化を行う
【数４】
2012060633.tif 000020
θ１、θ２：前記回転直交符号化のための回転角
ことを特徴とする請求項１に記載の送信機。
【請求項６】
前記回転角θは、当該送信機が採用する変調方式における信号点間距離を等間隔に配置するように決定されることを特徴とする請求項２に記載の送信機。
【請求項７】
当該送信機がＱＰＳＫ(Quadrature Phase Shift Keying)変調方式を採用する場合、θ＝tan-11/2とし、
当該送信機が１６ＱＡＭ(Quadrature Amplitude Modulation)変調方式を採用する場合、θ＝tan-11/4とする
ことを特徴とする請求項２に記載の送信機。
【請求項８】
当該送信機がＱＰＳＫ(Quadrature Phase Shift Keying)変調方式を採用する場合、θ1＝tan-11/4、θ2＝tan-11/2とし、
当該送信機が１６ＱＡＭ(Quadrature Amplitude Modulation)変調方式を採用する場合、θ1＝tan-11/16、θ2＝tan-11/4とする
ことを特徴とする請求項５に記載の送信機。
【請求項９】
ＬＴＥ(Long-Term Evolution)-Advancedの基地局に適用されることを特徴とする請求項１から８のいずれか１項に記載の送信機。
【請求項１０】
複数の送信アンテナからそれぞれ送信された複数の、回転直交符号化された送信シンボルを複数の受信アンテナにおいてそれぞれ受信する受信機であって、
前記複数の送信シンボルを、周波数帯域が互いに離れた複数のキャリアの送信シンボルとしてそれぞれ、前記複数の受信アンテナにおいて、複数の受信シンボルとして受信する受信部と、
それら受信された複数の受信シンボルと、前記回転直交符号の回転角θと、チャネル行列及びノイズ行列の少なくとも一方とに基づき、前記複数の送信シンボルを復元するための複数の信号点を検出する信号点検出手段と、
その検出された複数の信号点に基づき、前記複数の送信シンボルを復元する送信シンボル復元手段と
を有することを特徴とする回転直交符号化を用いたスペクトラムアグリゲーション用の受信機。
【請求項１１】
複数の送信シンボルを複数の送信アンテナからそれぞれ送信する送信方法であって、
周波数帯域が互いに離れた複数キャリアの各々の送信ビット系列を符号化し、
その符号化された送信ビット系列を変調し、送信シンボルを生成し、
前記異なるキャリアについての前記送信シンボルに対して回転直交符号化を行い、それにより、符号化後の送信シンボルを生成し、
各キャリア毎に、前記符号化後の送信シンボルに周波数信号処理を施し、
前記複数のキャリアの信号にそれぞれ対応する複数の、周波数信号処理後の送信シンボルをそれぞれ、前記複数の送信アンテナから、それら送信シンボルをそれぞれ受信する複数の受信アンテナを有する受信機に向かって同時に送信する
ことを特徴とする回転直交符号化を用いたスペクトラムアグリゲーション用の送信方法。
【請求項１２】
複数の送信アンテナからそれぞれ送信された複数の、回転直交符号化された送信シンボルを複数の受信アンテナにおいてそれぞれ受信する受信方法であって、
前記複数の送信シンボルを、周波数帯域が互いに離れた複数のキャリアの受信信号としてそれぞれ、前記複数の受信アンテナにおいて、複数の受信シンボルとして受信し、
それら受信された複数の受信シンボルと、前記回転直交符号の回転角θと、チャネル行列及びノイズ行列の少なくとも一方とに基づき、前記複数の送信シンボルを復元するための複数の信号点を検出し、
その検出された複数の信号点に基づき、前記複数の送信シンボルを復元する
ことを特徴とする回転直交符号化を用いたスペクトラムアグリゲーション用の受信方法。
【請求項１３】
複数の送信信号を複数の送信アンテナからそれぞれ同時に送信する送信方法であって、
周波数帯域が互いに離れた複数のキャリアの送信シンボルを、符号化前の送信シンボルとして、その送信シンボルに対してプリコーディングとして回転直交符号化を行い、それにより、符号化後の送信シンボルを生成し、
前記複数のキャリアにそれぞれ対応する複数の、前記符号化後の送信シンボルをそれぞれ、複数の送信信号として前記複数の送信アンテナから、それら送信信号をそれぞれ受信する複数の受信アンテナを有する受信機に向かって送信する
ことを特徴とするスペクトラムアグリゲーション用の送信方法。
【請求項１４】
複数の送信シンボルを複数の送信アンテナからそれぞれ送信する送信機に搭載されたコンピュータを機能させるプログラムであって、
周波数帯域が互いに離れた複数のキャリアの各々の送信ビット系列を符号化する符号化手段と、
その符号化された送信ビット系列を変調し、送信シンボルを生成する変調手段と、
前記異なるキャリアについての前記送信シンボルに対して回転直交符号化を行い、それにより、符号化後の送信シンボルを生成する回転直交符号化手段と、
各キャリア毎に、前記符号化後の送信シンボルに周波数信号処理を施す周波数信号処理手段と、
前記複数のキャリアの送信信号にそれぞれ対応する複数の、周波数信号処理後の送信シンボルをそれぞれ、前記複数の送信アンテナから、それら送信シンボルをそれぞれ受信する複数の受信アンテナを有する受信機に向かって送信する送信手段と
してコンピュータを機能させることを特徴とするスペクトラムアグリゲーション用の送信機用のプログラム。
【請求項１５】
複数の送信アンテナからそれぞれ送信された複数の、回転直交符号化された送信シンボルを複数の受信アンテナにおいてそれぞれ受信する受信機に搭載されたコンピュータを機能させるプログラムであって、
前記複数の送信シンボルを、周波数帯域が互いに離れた複数のキャリアの送信シンボルとしてそれぞれ、前記複数の受信アンテナにおいて、複数の受信シンボルとして受信する受信部と、
それら受信された複数の受信シンボルと、前記回転直交符号の回転角θと、チャネル行列及びノイズ行列の少なくとも一方とに基づき、前記複数の送信シンボルを復元するための複数の信号点を検出する信号点検出手段と、
その検出された複数の信号点に基づき、前記複数の送信シンボルを復元する送信シンボル復元手段と
を有することを特徴とする回転直交符号化を用いたスペクトラムアグリゲーション用の受信機用のプログラム。
【発明の詳細な説明】
【技術分野】
【０００１】
本発明は、スペクトラムアグリゲーション（又はキャリアアグリゲーション若しくは周波数アグリゲーション）用の送信機及び受信機の技術に関する。
【背景技術】
【０００２】
近年、無線通信規格の発展に伴って、通信の大容量化が進んできている。特に、IMT-Advancedによれば、静止時に１Ｇｂｐｓ、移動時でも数百Ｍｂｐｓの伝送レートを達成することが目標とされている。この目標を達成するためには、周波数帯域幅が、１００ＭＨｚ程度、必要と考えられている。しかしながら、周波数リソースは既に逼迫しており、連続的な広帯域を一括で確保することは、非常に困難となっている。
【０００３】
この問題を解決するため、スペクトラムアグリゲーションの技術がある。「スペクトラムアグリゲーション」とは、周波数帯域が互いに離れた複数のキャリア信号を束ねて同時に送信する技術である。この技術によれば、周波数特性が異なる複数のキャリア信号を同時に利用することによって、広い周波数帯域を確保することができる。
【０００４】
スペクトラムアグリゲーションシステムとして、伝搬特性の異なる複数の周波数帯域のチャネル信号を、ユーザのＱｏＳ(Quality Of Service)に応じてユーザに割り当てる技術がある（例えば特許文献１参照）。この技術によれば、ユーザのＱｏＳとして、ユーザが端末で起動するアプリケーション毎に必要な平均伝送速度、遅延（平均、最大遅延、ジッタなど）、フレーム誤り率、送信電力、最大伝送速度、最低保証伝送速度などが考慮される。各ユーザにＱｏＳに応じた最適な周波数帯域を割り当てることができ、周波数リソースを効率的に運用することができる。
【０００５】
また、ユーザに周波数リソースを割り当てる際、利用可能な周波数帯域の中から、高い周波数帯域から順に連続的に割り当てる技術がある（例えば特許文献２参照）。この技術によれば、システム全体で収容可能なユーザ数を増加させることができる。
【先行技術文献】
【特許文献】
【０００６】
【特許文献１】特開２００６−０９４００１号公報
【特許文献２】ＷＯ２００６／０８８０８２
【発明の概要】
【発明が解決しようとする課題】
【０００７】
前述した従来技術は、各ユーザに対する周波数帯域の割当方式に基づくものである。従って、異なる周波数帯域のキャリア信号毎に独立した信号処理（例えば誤り訂正符号処理、変調処理、復調処理）が実行される。即ち、従来技術では、複数の周波数帯域を有する複数のキャリア信号が利用されるものの、それらキャリア信号が、送信機内で合成されることなく、送信される。
【０００８】
そこで、本発明は、複数の周波数帯域を有する複数の送信信号を、送信機内で合成して複数の最終的な送信信号を生成し、それら最終的な送信信号を同時に送信することによって拡散し、多重化して送信することが、周波数ダイバーシチゲインを向上させて伝送特性を向上させることができる、スペクトラムアグリゲーション用の送信機、受信機、方法及びプログラムを提供することを目的とする。
【課題を解決するための手段】
【０００９】
本発明によれば、複数の送信シンボルを複数の送信アンテナからそれぞれ送信する送信機であって、
周波数帯域が互いに離れた複数のキャリアの各々の送信ビット系列を符号化する符号化器と、
その符号化された送信ビット系列を変調し、送信シンボルを生成する変調器と、
異なるキャリアについての送信シンボルに対して回転直交符号化を行い、それにより、符号化後の送信シンボルを生成する回転直交符号化手段と、
各キャリア毎に、符号化後の送信シンボルに周波数信号処理を施す周波数信号処理手段と、
複数のキャリアの送信信号にそれぞれ対応する複数の、周波数信号処理後の送信シンボルをそれぞれ、複数の送信アンテナから、それら送信シンボルをそれぞれ受信する複数の受信アンテナを有する受信機に向かって送信する送信部と
を有することを特徴とする。
【００１０】
本発明のスペクトラムアグリゲーション用の送信機における他の実施形態によれば、
複数の送信アンテナは、第１の送信アンテナと、第２の送信アンテナとを含み、
キャリア数Ｎは、２であり、
回転直交符号化手段は、次の回転直交符号行列Ｃを用いたプリコーディング(pre-coding)により、回転直交符号化を行う
【数１】
2012060633.tif 000003
θ：回転直交符号化のための回転角
s１：第１の送信アンテナから送信されるべき、回転直交符号化前の送信シンボル
s２：第２の送信アンテナから送信されるべき、回転直交符号化前の送信シンボル
s'１：第１の送信アンテナから送信されるべき、回転直交符号化後の送信シンボル
s'２：第２の送信アンテナから送信されるべき、回転直交符号化後の送信シンボル
ことも好ましい。
【００１１】
本発明のスペクトラムアグリゲーション用の送信機における他の実施形態によれば、
キャリア数Ｎは、Ｎ＝２n（nは２以上の整数)であり、
回転直交符号化手段は、次の回転直交符号行列Ｃ２nを用いたプリコーディング(pre-coding)により、回転直交符号化を行う
【数２】
2012060633.tif 000004
θｎ：回転直交符号化のための回転角
Ｃ２＝１
ことも好ましい。
【００１２】
本発明のスペクトラムアグリゲーション用の送信機における他の実施形態によれば、
キャリア数Ｎは、Ｎ＝３であり、
回転直交符号化手段は、次の回転直交符号行列Ｃ３を用いたプリコーディング(pre-coding)により、回転直交符号化を行う
【数３】
2012060633.tif 000005
θ１、θ２、θ３：回転直交符号化のための回転角
ことも好ましい。
【００１３】
本発明のスペクトラムアグリゲーション用の送信機における他の実施形態によれば、
キャリア数Ｎは、Ｎ＝２２＝４(n=2)であり、
回転直交符号化手段は、次の回転直交符号行列Ｃ４を用いたプリコーディング(pre-coding)により、回転直交符号化を行う
【数４】
2012060633.tif 000006
θ１、θ２：回転直交符号化のための回転角
ことも好ましい。
【００１４】
本発明のスペクトラムアグリゲーション用の送信機における他の実施形態によれば、
回転角θは、当該送信機が採用する変調方式における信号点間距離を等間隔に配置するように決定されることも好ましい。
【００１５】
本発明のスペクトラムアグリゲーション用の送信機における他の実施形態によれば、
当該送信機がＱＰＳＫ(Quadrature Phase Shift Keying)変調方式を採用する場合、θ＝tan-11/2とし、
当該送信機が１６ＱＡＭ(Quadrature Amplitude Modulation)変調方式を採用する場合、θ＝tan-11/4とする
ことも好ましい。
【００１６】
本発明のスペクトラムアグリゲーション用の送信機における他の実施形態によれば、
当該送信機がＱＰＳＫ(Quadrature Phase Shift Keying)変調方式を採用する場合、θ1＝tan-11/4、θ2＝tan-11/2とし、
当該送信機が１６ＱＡＭ(Quadrature Amplitude Modulation)変調方式を採用する場合、θ1＝tan-11/16、θ2＝tan-11/4とする
ことも好ましい。
【００１７】
本発明のスペクトラムアグリゲーション用の送信機における他の実施形態によれば、
LTE(Long-Term Evolution)-Advancedの基地局に適用されることも好ましい。
【００１８】
本発明によれば、複数の送信アンテナからそれぞれ送信された複数の、回転直交符号化された送信シンボルを複数の受信アンテナにおいてそれぞれ受信する受信機であって、
複数の送信シンボルを、周波数帯域が互いに離れた複数のキャリアの送信シンボルとしてそれぞれ、複数の受信アンテナにおいて、複数の受信シンボルとして受信する受信部と、
それら受信された複数の受信シンボルと、回転直交符号の回転角θと、チャネル行列及びノイズ行列の少なくとも一方とに基づき、複数の送信シンボルを復元するための複数の信号点を検出する信号点検出手段と、
その検出された複数の信号点に基づき、複数の送信シンボルを復元する送信シンボル復元手段と
を有することを特徴とする。
【００１９】
本発明によれば、複数の送信シンボルを複数の送信アンテナからそれぞれ送信する送信方法であって、
周波数帯域が互いに離れた複数キャリアの各々の送信ビット系列を符号化し、
その符号化された送信ビット系列を変調し、送信シンボルを生成し、
異なるキャリアについての送信シンボルに対して回転直交符号化を行い、それにより、符号化後の送信シンボルを生成し、
各キャリア毎に、符号化後の送信シンボルに周波数信号処理を施し、
複数のキャリアの信号にそれぞれ対応する複数の、周波数信号処理後の送信シンボルをそれぞれ、複数の送信アンテナから、それら送信シンボルをそれぞれ受信する複数の受信アンテナを有する受信機に向かって同時に送信する
ことを特徴とする。
【００２０】
本発明によれば、複数の送信アンテナからそれぞれ送信された複数の、回転直交符号化された送信シンボルを複数の受信アンテナにおいてそれぞれ受信する受信方法であって、
複数の送信シンボルを、周波数帯域が互いに離れた複数のキャリアの受信信号としてそれぞれ、複数の受信アンテナにおいて、複数の受信シンボルとして受信し、
それら受信された複数の受信シンボルと、回転直交符号の回転角θと、チャネル行列及びノイズ行列の少なくとも一方とに基づき、複数の送信シンボルを復元するための複数の信号点を検出し、
その検出された複数の信号点に基づき、複数の送信シンボルを復元する
ことを特徴とする。
【００２１】
本発明によれば、複数の送信信号を複数の送信アンテナからそれぞれ同時に送信する送信方法であって、
周波数帯域が互いに離れた複数のキャリアの送信シンボルを、符号化前の送信シンボルとして、その送信シンボルに対してプリコーディングとして回転直交符号化を行い、それにより、符号化後の送信シンボルを生成し、
複数のキャリアにそれぞれ対応する複数の、符号化後の送信シンボルをそれぞれ、複数の送信信号として複数の送信アンテナから、それら送信信号をそれぞれ受信する複数の受信アンテナを有する受信機に向かって送信する
ことを特徴とする。
【００２２】
本発明によれば、複数の送信シンボルを複数の送信アンテナからそれぞれ送信する送信機に搭載されたコンピュータを機能させるプログラムであって、
周波数帯域が互いに離れた複数のキャリアの各々の送信ビット系列を符号化する符号化手段と、
その符号化された送信ビット系列を変調し、送信シンボルを生成する変調手段と、
異なるキャリアについての送信シンボルに対して回転直交符号化を行い、それにより、符号化後の送信シンボルを生成する回転直交符号化手段と、
各キャリア毎に、符号化後の送信シンボルに周波数信号処理を施す周波数信号処理手段と、
複数のキャリアの送信信号にそれぞれ対応する複数の、周波数信号処理後の送信シンボルをそれぞれ、複数の送信アンテナから、それら送信シンボルをそれぞれ受信する複数の受信アンテナを有する受信機に向かって送信する送信手段と
してコンピュータを機能させることを特徴とする。
【００２３】
本発明によれば、複数の送信アンテナからそれぞれ送信された複数の、回転直交符号化された送信シンボルを複数の受信アンテナにおいてそれぞれ受信する受信機に搭載されたコンピュータを機能させるプログラムであって、
複数の送信シンボルを、周波数帯域が互いに離れた複数のキャリアの送信シンボルとしてそれぞれ、複数の受信アンテナにおいて、複数の受信シンボルとして受信する受信部と、
それら受信された複数の受信シンボルと、回転直交符号の回転角θと、チャネル行列及びノイズ行列の少なくとも一方とに基づき、複数の送信シンボルを復元するための複数の信号点を検出する信号点検出手段と、
その検出された複数の信号点に基づき、複数の送信シンボルを復元する送信シンボル復元手段と
を有することを特徴とする。
【発明の効果】
【００２４】
本発明のスペクトラムアグリゲーション用の送信機、受信機、方法及びプログラムによれば、周波数ダイバーシチゲインを効果的に得ることによって伝送特性を向上させることができる。
【図面の簡単な説明】
【００２５】
【図１Ａ】本発明の第１実施形態に従うマルチアンテナ式送信機及びマルチアンテナ式受信機が使用される通信システムを概念的に表す系統図である。
【図１Ｂ】本発明の第２実施形態に従う２個のシングルアンテナ式送信機の組合せ及びマルチアンテナ式受信機が使用される通信システムを概念的に表す系統図である。
【図２】第１実施形態に従う送信機を概念的に表す機能ブロック図である。
【図３】ＱＰＳＫ変調方式における回転直交符号の回転角θを表す複数の信号点を示す座標である。
【図４】１６ＱＡＭ変調方式における回転直交符号の回転角θを表す複数の信号点を示す座標である。
【図５】第１実施形態に従う受信機を概念的に表す機能ブロック図である。
【図６】第１実施形態についての回転角θに対するビット誤り率のカーブを表すグラフである。
【図７】第１実施形態についてのＥｂ／Ｎｏに対するビット誤り率のカーブを表すグラフである。
【発明を実施するための形態】
【００２６】
以下、本発明の実施の形態について、図面を用いて詳細に説明する。但し、それら図面については、互いに共通する複数の符号が、互いに共通する複数の要素を示すために使用される。
【００２７】
図１Ａは、本発明の第１実施形態に従うマルチアンテナ式送信機１及びマルチアンテナ式受信機２が使用される通信システムを概念的に表す系統図である。
【００２８】
図１Ａに示すように、送信機１は、互いに異なる第１及び第２の送信シンボルｓ１、ｓ２を、第１及び第２の送信アンテナ１５１，１５２から、異なるキャリア（例えば、８００ＭＨｚ帯キャリア及び２ＧＨｚ帯キャリアの組合せ）で送信している。
一方で、受信機２は、第１及び第２の受信アンテナ２０１，２０２について、それら第１及び第２の送信シンボルｓ１、ｓ２をそれぞれ、第１及び第２の受信シンボルｒ１、ｒ２として受信し、その受信した受信シンボルｒ１、ｒ２から、第１及び第２の送信シンボルｓ１、ｓ２を復元する。
ここで、本実施形態について採用されている新規なスペクトラムアグリゲーション通信を、従来技術に用いられているＭＩＭＯ(Multiple Input Multiple Output：多入力・多出力)方式の通信と比較して説明すると、ＭＩＭＯは、複数の送信ビット系列が同一周波数帯で伝送されるのに対し、新規なスペクトラムアグリゲーション通信は、複数の送信ビット系列が異なる周波数帯で伝送されるため、新規なスペクトラムアグリゲーション通信は、ＭＩＭＯとは異なる。
そのために、本実施形態については、送信機１の第１の送信アンテナ１５１から送信された第１の送信シンボルｓ１は、受信機２の第１の受信アンテナ２０１のみによって受信される。同様に、送信機１の第２の送信アンテナ１５２から送信された第２の送信シンボルｓ２は、受信機２の第２の受信アンテナ２０２のみによって受信される。
従って、本実施形態については、ＭＩＭＯ方式のように、送信機１の各送信アンテナ１５１，１５２から送信された１つの送信シンボルが、受信機２の全ての受信アンテナ２０１，２０２によって同時に受信されることはない。
尚、本実施形態については、第１の送信シンボルｓ１の周波数帯域が８００ＭＨｚ、第２の送信シンボルｓ２の周波数帯域が２ＧＨｚであるとして説明するが、勿論、利用可能な周波数帯域が、これに限定されるものではない。
【００２９】
図１Ａに示すように、１つの送信機（例えば基地局）１が、８００ＭＨｚ帯のキャリアと２ＧＨｚ帯のキャリアの双方について同時に送信している。本実施形態については、送信機１は、キャリアアグリゲーション用のものであって、プリコーディング(pre-coding)方式の技術を取り入れる。
プリコーディング方式は、一般に、ＭＩＭＯ方式に適用されるＳＤＭ(Space Division Multiplex：空間分割多重)送信処理又はＳＴＣ(Space Time Coding)送信処理に適用される技術である。プリコーディング方式の一例が、米国特許出願公開公報２００４／０２１８６９７号にも開示されている。
「プリコーディング方式」によれば、プリコーディングが採用し得る複数のパターンを集めたコードブックから選択することにより、最適なプリコーディング行列Ｗを決定し、そのプリコーディング行列Ｗを使用して、入力信号系列及び出力信号系列を符号化する（各送信シンボルにプリコーディング行列Ｗを重みとして乗算して、各送信シンボルとプリコーディング行列Ｗとを合成する）ものである。
【００３０】
送信機１は、プリコーディング行列Ｗとして、回転直交符号を用いる。回転直交符号行列Ｃは、回転直交符号化のための回転角をθで表すと、以下の式のように表される。
【数５】
2012060633.tif 000007
【００３１】
送信機１は、原データの送信シンボルｓ１、ｓ２に対して回転直交符号化処理（プリコーディング）をし、キャリア毎の送信アンテナ１５１，１５２から送信シンボルｓ'１、ｓ'２を送信する。原データの送信シンボルｓ１、ｓ２と、送信アンテナ１５１，１５２から出力される送信シンボルｓ'１、ｓ'２とは、以下の送信シンボルの式の関係を有する。
【数６】
2012060633.tif 000008
送信機１は、この式を用いて、送信シンボルｓ１、ｓ２を、合成により、送信シンボルｓ'１、ｓ'２に変換する。ここに、送信シンボルｓ'１及びｓ'２はいずれも、送信シンボルｓ１のうちのある成分と、送信シンボルｓ２のうちのある成分とが合成されたものである。
【００３２】
送信機１から送信された後、送信シンボルｓ'１、ｓ'２は、キャリア毎に、異なるチャネル（その特性（例えば、応答特性、チャネル状態情報ＣＳＩ(channel state information）は、チャネル行列Ｈによって表される）を通過し、ノイズ（その特性は、ノイズ行列ｎによって表される）を受ける。即ち、以下のように表される。
８００ＭＨｚ帯の第１送信シンボル：
第１の送信アンテナ１５１と第１の受信アンテナ２０１との間における
第１のチャネルについてのチャネル特性値Ｈ１、ノイズ成分ｎ１
２ＧＨｚ帯の第２送信シンボル：
第２の送信アンテナ１５２と第２の受信アンテナ２０２との間における
第２のチャネルについてのチャネル特性値Ｈ２、ノイズ成分ｎ２
尚、第１の送信アンテナ１５１と第２の受信アンテナ２０２との間における第３のチャネルについても、第２の送信アンテナ１５２と第１の受信アンテナ２０１との間における第４のチャネルについても、今回は、伝搬する信号を無視できるため、対応するチャネル特性値及びノイズ成分は、いずれも０となる。
【００３３】
そして、受信機２の受信アンテナ２０１，２０２においてそれぞれ受信される２つの受信シンボルｒ１、ｒ２は、以下の受信シンボルの式のように表される。
【数７】
2012060633.tif 000009
尚、チャネル行列Ｈは、第１及び第２のチャネルについては、０ではない要素を有し、第３及び第４のチャネルについては、０である要素を有する正方行列である。
【００３４】
受信機２は、２つの受信シンボルｒ１、ｒ２に対して、最尤検出やＭＭＳＥ(Minimum Mean Square Error)等化のようなチャネル推定を実行し、チャネル状態情報ＣＳＩ（例えば、チャネル行列、ノイズ行列）を推定する。受信機２は、更に、その推定結果と、受信シンボルｒ１、ｒ２とに基づき、上記の受信シンボルの式を解くことにより、原データの送信シンボルｓ１、ｓ２を復元する。
ここで、前述の受信シンボルの式を展開すると、以下のように表される。
ｒ１＝Ｈ１（ｓ１cosθ＋ｓ２sinθ）＋ｎ１
ｒ２＝Ｈ２（−ｓ１sinθ＋ｓ２cosθ）＋ｎ２
【００３５】
（ｓ１cosθ＋ｓ２sinθ）という括弧付き項と、（−ｓ１sinθ＋ｓ２cosθ）という括弧付き項とに着目すると、回転角θの値によって、各加算式についてｓ１とｓ２とが互いに算される比率が変わると共に、その信号点配置が決定される。
【００３６】
第１の例示的なシナリオについては、ｓ１及びｓ２共にＱＰＳＫ変調方式を用いた場合、４点×４点＝１６点の信号点が形成される。１６点の位置関係は、回転角θによって決定される。第２の例示的なシナリオについては、ｓ１及びｓ２共に１６ＱＡＭ変調方式を用いた場合、２５６点の信号点が形成される。
第１のシナリオについては、回転角θによって決定された１６点の信号点の相対的な信号位置関係は、Ｈ１及びＨ２の値にかかわらず、一定である。信号点間距離が２次元シンボル配置図（ＩＱ平面）上について等間隔に配置されるように、回転角θを予め設定することができる。
複数のサブキャリアに対して回転直交符号化を行う技術の一例が、本出願人による米国特許出願１２／１４８，０８４（公開公報２００８／０２２５９２７）に開示されている。
尚、本実施形態については、回転角θが、送信機１ごとに、予め設定されるが、別の例については、受信機２が、送信機１と受信機２との間の通信セッションごとに、チャネル状態情報ＣＳＩを推定し、そのチャネル状態情報ＣＳＩに基づいて回転角θを、送信シンボルと受信シンボルとの間の実際の位相差を反映するように決定する。
【００３７】
図１Ｂは、本発明の第２実施形態に従う２つのシングルアンテナ式送信機（基地局）５０１，５０２及びマルチアンテナ式受信機２が使用される通信システムを概念的に表す系統図である。
本実施形態は、上述の第１実施形態に対し、マルチアンテナ式送信機（基地局）１をキャリアごとに有する点を除き、共通する。
具体的には、本実施形態については、８００ＭＨｚ帯用の第１の基地局５０１と、２ＧＨｚ帯用の第２の基地局５０２とがそれぞれ別に存在している。
受信機２は、第１の基地局５０１から送信シンボルｓ'１を受信し、第２の基地局から送信シンボルｓ'２を受信する。このとき、第１の基地局５０１と第２の基地局５０２とが互いに物理的に分離しているにもかかわらず、それら基地局５０１，５０２がそれぞれ送信する２つの送信シンボルｓ'１，ｓ'２間の関係が、第１実施形態におけるものと共通となるように、第１の基地局５０１と第２の基地局５０２を、送信シンボルに関して、互いに連携させる機能部５０５が必要となる。
【００３８】
図２は、第１実施形態に従う送信機１を概念的に表す機能ブロック図である。
【００３９】
送信機１は、ＯＦＤＭ(Orthogonal Frequency Division Multiplexing：直交周波数分割多重)伝送方式を採用している。送信機１は、周波数帯域が互いに離れた複数のキャリアをそれぞれ、複数の送信アンテナ１５１，１５２から同時に送信することによってスペクトラムアグリゲーションを行うように設計されている。この送信機１は、ＬＴＥ(Long-Term Evolution)-Advancedの基地局に適用されることも好ましい。
【００４０】
図２に示すように、送信機１は、データ送信部１０と、第１及び第２のサブキャリア生成部１１１，１１２と、回転直交符号化部１３と、第１及び第２の周波数信号処理部１４１，１４２と、送信アンテナ１５１，１５２と、回転角記憶部１６とを有する。送信アンテナ１５１，１５２を除くこれら機能構成部は、送信機１に搭載されたプロセッサ３００（例えば、ＤＳＰ(Digital Signal Processor)やＦＰＧＡ(Field Programmable Gate Array)）に所定のプログラムを、メモリ３０２を用いて実行させることによって実現される。
尚、サブキャリア生成部１１１，１１２及び周波数信号処理部１４１，１４２は、キャリアごとに個別に設置されているのに対し、回転直交符号化部１３は、複数のキャリアに共通に設置されている。サブキャリア生成部１１１，１１２も周波数信号処理部１４１，１４２も、基本的な構成を互いに共通にするため、以下、重複した説明を省略する。
【００４１】
各サブキャリア生成部１１１，１１２は、キャリア毎に、対応する送信ビット系列をシンボル変調した後、複数のサブキャリアに分割する。
図２に示すように、各サブキャリア生成部１１は、誤り訂正符号器４００と、シンボルマッパ（コンステレーション・マッパ）４０２とを有する。
各誤り訂正符号器４００は、送信すべき送信ビット系列に対して、誤り訂正符号化の処理を実行し、ＣＲＣ(Cyclic Redundancy Check)のチェックビットを付加する。
各シンボルマッパ４０２は、各キャリアの送信ビット系列を、２次元シンボル配置図上の複数個の信号点（即ち、複数個のシンボル）にマッピングし、それにより、送信シンボルｓ１、ｓ２がキャリアごとに生成される。
【００４２】
尚、図２に示す第１実施形態については、キャリア毎にサブキャリア生成部１１１，１１２を備えているが、別の例については、異なるキャリアが１つのサブキャリア生成部１１１を共有する。これによって、装置構成を簡略化することもできる。あくまで、送信機１の特徴は、回転直交符号化部１３にある。
【００４３】
回転直交符号化部１３は、各キャリアごとに生成された送信シンボルに対して回転直交符号化を、前述の送信シンボル式を用いて施し、送信シンボルｓ'１、ｓ'２を生成する。回転直交符号化部１３は、各シンボルの変調方式に応じた最適な回転角θにより、各シンボルを回転直交符号化する。
【００４４】
回転直交符号化部１３は、前述の回転直交符号行列Ｃを用いたプリコーディング(pre-coding)方式により、符号化を行う。
【数８】
2012060633.tif 000010
θ：回転直交符号化のための回転角
s１：第１の送信アンテナから送信されるべき、回転直交符号化前の送信シンボル
s２：第２の送信アンテナから送信されるべき、回転直交符号化前の送信シンボル
s'１：第１の送信アンテナから送信されるべき、回転直交符号化後の送信シンボル
s'２：第２の送信アンテナから送信されるべき、回転直交符号化後の送信シンボル
【００４５】
本実施形態については、キャリア数（拡散率）Ｎが２であるが、例えば、Ｎ＝２n（nは２以上の整数)である場合、回転直交符号行列ＣＮは以下のようにする。
【数９】
2012060633.tif 000011
【００４６】
また、キャリア数Ｎが、Ｎ＝２２＝４である場合には、回転直交符号行列Ｃ４は以下のようにする。
【数１０】
2012060633.tif 000012
【００４７】
また、キャリア数（拡散率）Ｎが、２のべき乗でない場合にも本発明を適用でき、例えば、Ｎ＝３である場合には、回転直交符号Ｃ３は以下のようにする。
【数１１】
2012060633.tif 000013
【００４８】
回転直交符号化部１３は、更に、回転直交符号化された送信シンボルｓ'１及びｓ'２を、リソースブロックマッピング部（図示しない）に供給し、それにより、各シンボルをリソースブロックにマッピングする。そのリソースマッピング部は、リソースブロック第１及び第２の周波数信号処理部１４１、１４２に出力する。
【００４９】
各周波数信号処理部１４１，１４２は、送信シンボルｓ'１、ｓ'２毎に、周波数信号処理（例えば、周波数軸上の波形を時間軸上の波形に変換する）をし、各送信アンテナ１５１，１５２へ出力する。
図２によれば、各周波数信号処理部１４１，１４２は、ＩＦＦＴ(Inverse Fast Fourier Transform、逆高速フーリエ変換)部４１０と、ＣＰ(Cyclic Prefix)挿入部４１２と、送信部４１４とを有する。
各ＩＦＦＴ部４１０は、回転直交符号化された各送信シンボルｓ'１、ｓ'２の周波数軸上の波形を時間軸上の波形に変換する。各ＩＦＦＴ部４１０は、複数のサブキャリアを合成して、マルチチャリア波信号である各キャリアの送信信号を生成する。各ＩＦＦＴ部４１０は、よく知られているように、直並列変換器及び並直列変換器を有する。
各ＣＰ挿入部４１２は、各キャリアの送信信号にＣＰ(Cyclic Prefix)を挿入し、ＣＰ時間長以下の遅延波に対してサブキャリア間の直交性を保持し、マルチパス遅延波に対するロバスト性を高める。
各送信部４１４は、ＣＰが挿入された送信信号を、各送信アンテナ１５１，１５２へ出力する。
【００５０】
回転角記憶部１６は、回転直交符号化部１３に対する回転直交符号の回転角θを予め記憶する。回転角θは、各シンボルの変調方式に応じて、最適な回転角θとなるように予め選択されている。
具体的には、回転角θは、適用された変調方式における信号点間距離を、等間隔に配置するべく、決定される。
例えば、キャリア数ＮがＮ＝２である場合、以下のように決定される。
ＱＰＳＫ変調方式の場合：  θ＝tan-11/2
１６ＱＡＭ変調方式の場合：θ＝tan-11/4
また、キャリア数ＮがＮ＝４である場合、以下のように決定される。
ＱＰＳＫ変調方式の場合：θ１＝tan-11/4、θ２＝tan-11/2
１６ＱＡＭ変調方式の場合：θ１＝tan-11/16、θ２＝tan-11/4
【００５１】
図３は、ＱＰＳＫ変調方式における回転直交符号の回転角θを表す複数の信号点を、２次元シンボル配置図上に示す図である。
【００５２】
図３によれば、送信機１がＱＰＳＫ変調方式を採用する場合について、複数の信号点は、以下のように表現されている。
○：ｓ１cosθ
●：ｓ１cosθ＋ｓ２sinθ
シンボル（信号点）の検出誤りを最も低くするためには、各信号点間距離を等間隔に配置することが好ましく、そのためには、回転角θを以下のように設定することが好ましい。
【数１２】
2012060633.tif 000014
【００５３】
図４は、１６ＱＡＭ変調方式における回転直交符号の回転角θを表す複数の信号点を２次元シンボル配置図上に示す図である。
【００５４】
図４に示すように、送信機１が１６ＱＡＭ変調方式を採用する場合について、各信号点間距離を等間隔に配置することが好ましく、そのためには、回転角θを以下のように設定することが好ましい。
【数１３】
2012060633.tif 000015
尚、本実施形態は、他の多値変調方式にも適用可能である。
【００５５】
以上、本実施形態については、ｓ１及びｓ２共に、同じ変調方式を用いる場合について説明したが、異なる変調方式を用いることもできる。一例については、送信シンボルｓ１にはＱＰＳＫ変調方式が適用され、一方、送信シンボルｓ２には１６ＱＡＭ変調方式が適用される。この例については、４×１６＝６４点の信号点間距離が等しくなるように、回転角θを決定すればよい。
【００５６】
図５は、第１実施形態に従う受信機２を概念的に表す機能ブロック図である。
【００５７】
図５に示すように、受信機２は、図３の送信機１と通信可能であって、周波数帯域が互いに離れた複数のキャリアの信号をそれぞれ、複数の受信アンテナ２０１，２０２から同時に受信することによってスペクトラムアグリゲーションを行うように設計されている。
【００５８】
受信機２は、２つの受信アンテナ２０１，２０２と、第１及び第２の周波数信号処理部２１１，２１２と、信号点検出部２３と、第１及び第２の送信シンボル復元部２４１，２４２と、データ受信部２５と、回転角記憶部２６と、チャネル行列記憶部２７とを有する。受信アンテナ２０１，２０２を除くこれら機能構成部のうち受信アンテナ２０１，２０２を除くものは、受信機２に搭載されたプロセッサ７００（例えばＤＳＰやＦＰＧＡ）に、メモリ７０２を利用しつつ、所定のプログラムを実行させることによって実現される。
回転角記憶部２６は、送信機１における回転角記憶部１６と同じ回転角θを記憶する。
【００５９】
各周波数信号処理部２１１，２１２及び各送信シンボル復元部２４１，２４２は、キャリアごとに個別に設置されているのに対し、信号点検出部２３は、複数のキャリアに共通に設置されている。各周波数信号処理部２１１，２１２も各送信シンボル復元部２４１，２４２も、基本的な構成を互いに共通にするため、以下、冗長した説明を省略する。
各周波数信号処理部２１１，２１２は、各受信アンテナ２０１，２０２から入力された受信信号毎に、周波数信号処理（時間軸成分を周波数軸成分に変換する）をし、各受信信号を複数の受信シンボルに変換する。
図５に示すように、各周波数信号処理部２１１，２１２は、受信部６００と、ＣＰ(Cyclic Prefix)削除部６０２と、ＦＦＴ(Fast Fourier Transform、高速フーリエ変換)部６０４とを有する。
各受信部６００は、各受信アンテナ２０１，２０２から出力された各受信シンボルｒ１，ｒ２を、各ＣＰ削除部６０２へ出力する。
各ＣＰ削除部６０２は、各受信信号からＣＰ(Cyclic Prefix)を削除する。
各ＦＦＴ部６０４は、各受信信号の時間軸成分を周波数軸成分に変換する。各ＦＦＴ部６０４は、マルチキャリア波信号である各キャリアの受信信号から複数の受信シンボルを抽出し、それら複数の受信シンボルを信号点検出部２３へ出力する。各ＦＦＴ部６０４は、よく知られているように、直並列変換器及び並直列変換器を有する。
【００６０】
信号点検出部２３は、例えば最尤検出やＭＭＳＥ等化によってチャンネル推定を実行し、それにより、チャネル行列Ｈ及びノイズ行列ｎを推定し、その推定結果を、チャネル行列記憶部２７に記憶させる。
信号点検出部２３は、更に、その推定されたチャネル行列Ｈ及びノイズ行列ｎと、回転角記憶部２６に記憶されている回転角θと、キャリアごとに入力された複数のサブキャリアによって表される受信シンボルｒ１，ｒ２とに基づいて、前述の受信シンボルの式を解くことにより、第１の送信シンボルｓ１を復元するための、第１群の信号点（Ｉ値及びＱ値に間する情報）と、第２の送信シンボルｓ２を復元するための、第２群の信号点（Ｉ値及びＱ値に間する情報）とを検出する。
信号点検出部２３は、更に、第１群の信号点を第１の送信シンボル復元部２４１に出力し、一方、第２群の信号点を第２の送信シンボル復元部２４２に出力する。
【００６１】
各送信シンボル復元部２４１，２４２は、キャリア毎に、入力された複数の受信シンボルから、各送信シンボルｓ１，ｓ２を復元する。
各送信シンボル復元部２４１，２４２は、シンボルデマッパ（コンステレーション・デマッパ）６１２と、誤り訂正復号器６１４とを有する。
各シンボルデマッパ６１２は、検出された複数個の信号点（複数個のシンボル）をデマッピングした後、誤り訂正復号化の処理を行い、その後、各誤り訂正復号器６１４は、ＣＲＣのチェックビットを用いて復調誤り検出を行う。
【００６２】
尚、図５に示すように、本実施形態については、キャリア毎に各送信シンボル復元部２４１，２４２を備えているが、別の例については、異なる２つのキャリアが１つの送信シンボル復元部２４１を共有するものであってもよい。これによって、装置構成を簡略化することもできる。あくまで、受信機２の特徴は、信号点検出部２３にある。
【００６３】
図６は、回転角θに対するビット誤り率(Bit Error Rate)のカーブの一例を表すグラフである。
【００６４】
図６の各カーブは、回転角θを0〜π/4に変化させた場合のビット誤り率(Bit Error Rate)の変化を表す。尚、各周波数帯域のＥｂ／Ｎｏは共に、２０ｄＢに設定した。
図６に示すように、ＱＰＳＫ変調方式（○で示す）の場合、θ＝tan-11/2あたりで、ビット誤り率が最も低いことが確認できる。また、１６ＱＡＭ変調方式（△で示す）の場合：θ＝tan-11/4あたりで、ビット誤り率が最も低いことが確認できる。
「Ｅｂ／Ｎｏ」とは、デジタル変調信号における、１ビットあたりの電力密度対雑音電力密度比を意味する。Ｅｂは、１情報ビット当りのエネルギー(energy per information bit)を意味し、また、Ｎｏは、ノイズ電力スペクトル密度(noise power spectral density)を意味する。
【００６５】
図７は、Ｅｂ／Ｎｏに対するビット誤り率を表すカーブの一例を表すグラフである。
【００６６】
図７は、ＱＰＳＫ変調方式を適用しており、符号化率Ｒ及び回転角θをパラメータとした場合の、Ｅｂ／Ｎｏに対するビット誤り率を表す。
図７によれば、各カーブは、以下のように表される。
○：θ＝０、Ｒ＝１
△：θ＝０、Ｒ＝７／８
□：θ＝０、Ｒ＝２／３
●：θ＝tan-11/2、Ｒ＝１
▲：θ＝tan-11/2、Ｒ＝７／８
■：θ＝tan-11/2、Ｒ＝２／３
尚、θ＝０とは、２つの送信系列を、前述の回転直交符号化による合成を行うことなく、完全に独立に送った場合を意味する。
【００６７】
図７によれば、いずれの符号化率Ｒについても、θ＝tan-11/2の場合（図６に示すように、ビット誤り率が最低である回転角θ）が、θ＝０の場合よりも、ビット誤り率が低いことが理解できる。
但し、符号化率Ｒが低い場合、誤り訂正で得られる周波数ダイバーシチゲインは大きくなる。そのために、回転直交符号を用いたプリコーディング（符号化率Ｒが低い）によって得られる周波数ダイバーシチゲインは、符号化率Ｒが高い場合より相対的に小さくなる。
【００６８】
尚、図７について、回転直交符号を用いることなく(θ=0)、BER=10-3をEb/No=16dBで達成しようとした場合、符号化率はＲ＝２／３でなければならない。
これに対し、θ＝tan-11/2に設定することによって、符号化率をＲ＝７／８に設定することができる。
即ち、同一の受信電力環境下（Eb/N0=16dB）にあって、所要BER(=10-3)を達成しようとした場合、伝送容量を、約１．３倍（＝７／８×３／２）にすることが可能となる。これは、回転直交符号の適用によって得られた周波数ダイバーシチゲインのために、符号化率Ｒを高く設定しても、所要BERを達成することができているためである。
【００６９】
更に、前述した実施形態については、各帯域で１つずつ送信ビット系列を伝送する場合（ＳＩＳＯ(Single Input Single Output)）について説明したが、別の一例については、各帯域で複数の送信ビット系列を伝送するＭＩＭＯが採用される。Ｎ（Ｎ：２以上の整数）個のキャリアで、帯域毎にＭ（Ｍ：２以上の整数）信号を伝送することで、合計M×N信号を同時に伝送する場合の、回転直交符号ＣＮ,Ｍは、以下のようになる。
【数１４】
2012060633.tif 000016
ＥＭ：  Ｍ×Ｍの単位行列
【００７０】
以上、詳細に説明したように、本発明のスペクトラムアグリゲーション用の送信機、受信機、方法及びプログラムによれば、送信機１が、複数の周波数帯域を有する複数のキャリアで送信される信号を合成して複数の最終的な送信信号を生成し、それら最終的な送信信号を同時に送信することによって拡散し、多重化して送信し、それにより、周波数ダイバーシチゲインが向上して伝送特性も向上する。
従来、送信機及び受信機について、プリコーディング方式、特に、回転直交符号化を適用してスペクトラムアグリゲーションを行う技術は全く提案されていない。
【００７１】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００７２】
１  マルチアンテナ式送信機
１０  データ送信部
１１１、１１２  サブキャリア生成部
１２  リソースブロック選択部
１３  回転直交符号化部
１４１、１４２  周波数信号処理部
１５１、１５２  送信アンテナ
１６  回転角記憶部
３００  プロセッサ
３０２  メモリ
４００  誤り訂正符号器
４０２  シンボルマッパ
４１０  ＩＦＦＴ部
４１２  ＣＰ挿入部
４１４  送信部
５０１、５０２  シングルアンテナ式送信機（基地局）
５０５  送信シンボル連携機能部
２  マルチアンテナ式受信機
２０１、２０２  受信アンテナ
２１１、２１２  周波数信号処理部
２３  信号点検出部
２４１、２４２  送信シンボル復元部
２５  データ受信部
２６  回転角記憶部
２７  伝搬路特性記憶部
６００  受信部
６０２  ＣＰ削除部
６０４  ＦＦＴ部
６１２  シンボルマッパ
６１４  誤り訂正復号器
７００  プロセッサ
７０２  メモリ
【図１Ａ】
2012060633.tif 000021
【図１Ｂ】
2012060633.tif 000022
【図２】
2012060633.tif 000023
【図３】
2012060633.tif 000024
【図４】
2012060633.tif 000025
【図５】
2012060633.tif 000026
【図６】
2012060633.tif 000027
【図７】
2012060633.tif 000028